【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
拡張現実（ＡＲ）デバイスによって実行される方法において、
ローカルネットワークを介して、ネットワーク化デバイスからデバイス相互運用フレームワークプロトコルメッセージ中で追跡データを受信することと、
前記ＡＲデバイスのカメラビューから獲得したイメージ中の前記ネットワーク化デバイスの１つ以上のビジュアル特性のうちの少なくとも１つを検出することに応答して、前記ネットワーク化デバイスに関係付けて拡張現実ビューを発生させることとを含み、
前記追跡データは、前記ネットワーク化デバイスの１つ以上のビジュアル特性の記述を含む方法。
【請求項２】
前記追跡データに少なくとも部分的に基づいて、前記ＡＲデバイスのカメラビュー中の前記ネットワーク化デバイスの位置を決定することをさらに含む請求項１記載の方法。
【請求項３】
前記拡張現実ビューを発生させることは、前記ネットワーク化デバイスに関係付けられているＡＲ特性により、前記拡張現実ビューの少なくとも一部分を拡張させることを含む請求項１記載の方法。
【請求項４】
前記１つ以上のビジュアル特性は、サイズ、形、色、端、特徴点、角、および、平らな表面からなるグループから選択される少なくとも１つの要素を含む請求項１記載の方法。
【請求項５】
前記追跡データを受信することは、
前記ネットワーク化デバイスが、前記ローカルネットワークのデバイス相互運用フレームワークプロトコルにしたがって、前記追跡データを提供できると決定することと、
前記ネットワーク化デバイスにクエリを送り、前記ネットワーク化デバイスからの前記追跡データを要求することと、
前記クエリに応答して、前記追跡データを受信することとを含む請求項１記載の方法。
【請求項６】
前記ネットワーク化デバイスに前記クエリを送る前に、前記ネットワーク化デバイスが、前記ＡＲデバイスに近接していると決定することをさらに含む請求項５記載の方法。
【請求項７】
前記追跡データを受信することは、前記ネットワーク化デバイスからブロードキャストメッセージを受信することを含み、
前記ブロードキャストメッセージは、前記追跡データを含む請求項１記載の方法。
【請求項８】
前記ローカルネットワークは、ワイヤレスローカルエリアネットワーク（ＷＬＡＮ）を含む請求項１記載の方法。
【請求項９】
前記追跡データは、前記ネットワーク化デバイスを記述する多次元モデルを含み、前記多次元モデルは、前記ネットワーク化デバイスのマーカなしの検出を可能にする請求項１記載の方法。
【請求項１０】
前記追跡データは、短距離無線周波数通信媒体を介して受信される請求項１記載の方法。
【請求項１１】
前記追跡データは、前記ネットワーク化デバイスに関係付けられている拡張現実特性データセット中に含まれ、前記拡張現実特性データセットは、前記ネットワーク化デバイス中に組み込まれている請求項１記載の方法。
【請求項１２】
前記拡張現実ビューを発生させることは、前記ＡＲデバイスにおいて統合されているカメラを使用して、前記イメージを取得することと、
前記イメージ中の前記ネットワーク化デバイスの１つ以上のビジュアル特性のうちの少なくとも１つを検出することと、
前記ネットワーク化デバイスに関係付けられているＡＲ特性により拡張されたイメージのうちの少なくとも一部分を表示することとを含む請求項１記載の方法。
【請求項１３】
前記ＡＲデバイスにおいて統合されているディスプレイ装置を使用して、前記拡張現実ビューを表示することをさらに含む請求項１記載の方法。
【請求項１４】
拡張現実（ＡＲ）デバイスにおいて、
プロセッサと、
命令を記憶しているメモリとを具備し、
前記命令は、前記プロセッサによって実行されるとき、前記ＡＲデバイスに、
ローカルネットワークを介して、ネットワーク化デバイスからデバイス相互運用フレームワークプロトコルメッセージ中で追跡データを受信させ、
前記ＡＲデバイスのカメラビューから獲得したイメージ中の前記ネットワーク化デバイスの１つ以上のビジュアル特性のうちの少なくとも１つを検出することに応答して、前記ネットワーク化デバイスに関係付けて拡張現実ビューを発生させ、
前記追跡データは、前記ネットワーク化デバイスの１つ以上のビジュアル特性の記述を含むＡＲデバイス。
【請求項１５】
前記命令は、前記プロセッサに、前記追跡データに少なくとも部分的に基づいて、前記ＡＲデバイスのカメラビュー中の前記ネットワーク化デバイスの位置をさらに決定させる請求項１４記載のＡＲデバイス。
【請求項１６】
前記命令は、前記プロセッサに、前記カメラビューに基づいて、前記拡張現実ビューを発生させるＡＲアプリケーションをさらに実行させ、
前記拡張現実ビューは、前記ネットワーク化デバイスに関係付けられているＡＲ特性により拡張される請求項１４記載のＡＲデバイス。
【請求項１７】
前記拡張現実ビューを前記ＡＲデバイスのユーザに表示するディスプレイ装置をさらに具備する請求項１４記載のＡＲデバイス。
【請求項１８】
前記ローカルネットワークを介して通信するためのネットワークインターフェースをさらに具備し、
前記命令は、前記プロセッサによって実行されるとき、前記ＡＲデバイスに、さらに、
前記ネットワーク化デバイスが、前記ローカルネットワークのデバイス相互運用フレームワークプロトコルにしたがって、前記追跡データを提供できると決定させ、
前記ネットワーク化デバイスにクエリを送り、前記ネットワーク化デバイスからの前記追跡データを要求させ、
前記クエリに応答して、前記追跡データを受信させる請求項１４記載のＡＲデバイス。
【請求項１９】
前記ネットワーク化デバイスが前記ＡＲデバイスに近接していることを前記ＡＲデバイスが決定することに応答して、前記ネットワークインターフェースが前記クエリを送る請求項１８記載のＡＲデバイス。
【請求項２０】
前記ネットワーク化デバイスからブロードキャストメッセージを受信するネットワークインターフェースをさらに具備し、
前記ブロードキャストメッセージは、前記追跡データを含む請求項１４記載のＡＲデバイス。
【請求項２１】
ネットワーク化デバイスによって実行される方法において、
前記ネットワーク化デバイスの１つ以上のビジュアル特性の記述を含む追跡データを記憶することと、
ローカルネットワークを介して、デバイス相互運用フレームワークプロトコルメッセージ中で前記追跡データを拡張現実（ＡＲ）デバイスに送信することとを含み、
前記追跡データは、前記ＡＲデバイスによる前記ネットワーク化デバイスのビジュアル検出を可能にする方法。
【請求項２２】
前記１つ以上のビジュアル特性は、サイズ、形、色、端、特徴点、角、および、平らな表面からなるグループから選択される少なくとも１つの要素を含む請求項２１記載の方法。
【請求項２３】
前記追跡データを要求するクエリを前記ＡＲデバイスから受信することをさらに含み、
前記追跡データを提供することは、前記クエリに応答する請求項２１記載の方法。
【請求項２４】
前記ローカルネットワークのデバイス相互運用フレームワークプロトコルにしたがって、前記追跡データを前記ネットワーク化デバイスが提供できるという表示を前記ＡＲデバイスに提供することをさらに含む請求項２１記載の方法。
【請求項２５】
デバイス発見プロトコルにしたがって、前記ローカルネットワークを介して、前記追跡データをブロードキャストすることをさらに含む請求項２１記載の方法。
【請求項２６】
前記追跡データは、前記ネットワーク化デバイスにおいて記憶されている拡張現実データセット中に含まれ、前記ＡＲデバイスからの要求に応答して、前記ＡＲデバイスに提供される請求項２１記載の方法。
【請求項２７】
前記ネットワーク化デバイスから受信される前記追跡データは、前記ネットワーク化デバイスを記述する多次元モデルを含み、前記多次元モデルは、前記ネットワーク化デバイスのマーカなしの検出を可能にする請求項２１記載の方法。
【請求項２８】
ネットワーク化デバイスにおいて、
ローカルネットワークを介して通信するネットワークインターフェースと、
プロセッサと、
前記ネットワーク化デバイスの１つ以上のビジュアル特性の記述を含む追跡データを記憶しているメモリとを具備し、
前記メモリは、前記プロセッサによって実行されるとき、前記ネットワーク化デバイスに、前記ローカルネットワークを介して、デバイス相互運用フレームワークメッセージ中で前記追跡データを拡張現実（ＡＲ）デバイスに送信させる命令を記憶し、
前記追跡データは、前記ＡＲデバイスによる前記ネットワーク化デバイスのビジュアル検出を可能にするネットワーク化デバイス。
【請求項２９】
前記命令は、前記プロセッサに、
前記追跡データを要求するクエリを前記ＡＲデバイスから受信させ、
前記クエリに応答して、前記追跡データを提供させる請求項２８記載のネットワーク化デバイス。
【請求項３０】
前記命令は、前記プロセッサに、
前記ローカルネットワークのデバイス相互運用フレームワークプロトコルにしたがって、前記追跡データを前記ネットワーク化デバイスが提供できるという表示を前記ＡＲデバイスに提供させる請求項２８記載のネットワーク化デバイス。
【手続補正２】
【補正対象書類名】明細書
【補正対象項目名】００７１
【補正方法】変更
【補正の内容】
【００７１】
［００７７］
単一の事例としてここで説明した、コンポーネント、動作、または、構造に対して、複数の事例が提供されてもよい。最後に、さまざまなコンポーネント、動作、および、データ記憶装置間の境界は、いくらか任意のものであり、特定の動作は、特定の例示的なコンフィギュレーションの文脈で図示されている。機能性の他の割り振りが構想され、主題事項の範囲内にあってもよい。一般的に、例示的なコンフィギュレーションにおいて別々のコンポーネントとして提示した構造および機能性は、組み合わされた構造またはコンポーネントとして実現してもよい。同様に、単一のコンポーネントとして提示した構造および機能性は、別々のコンポーネントとして実現してもよい。これらのおよび他の、バリエーション、修正、追加、および、改善が、主題事項の範囲内にあってもよい。
以下に、本願出願の当初の特許請求の範囲に記載された発明を付記する。
［１］  拡張現実（ＡＲ）デバイスによって実行される方法において、
ネットワーク化デバイスの１つ以上の追跡可能な特徴を記述する追跡データを受信することと、
前記ＡＲデバイスのカメラビュー中の前記ネットワーク化デバイスの少なくとも１つの追跡可能な特徴を検出することに応答して、前記ネットワーク化デバイスに関係付けて拡張現実ビューを発生させることとを含み、
前記追跡データは、ローカルネットワークを介して、前記ネットワーク化デバイスから受信される方法。
［２］  前記追跡データに少なくとも部分的に基づいて、前記ＡＲデバイスのカメラビュー中の前記ネットワーク化デバイスの位置を決定することをさらに含む［１］記載の方法。
［３］  前記拡張現実ビューを発生させることは、前記ネットワーク化デバイスに関係付けられているＡＲ特性により、前記拡張現実ビューの少なくとも一部分を拡張させることを含む［１］記載の方法。
［４］  前記追跡データは、少なくとも第１の追跡可能な特徴の１つ以上のビジュアル特性を記述し、
前記１つ以上のビジュアル特性は、サイズ、形、色のうちの少なくとも１つを含む［１］記載の方法。
［５］  前記追跡データを受信することは、
前記ネットワーク化デバイスにクエリを送り、前記ネットワーク化デバイスからの前記追跡データを要求することと、
前記クエリに応答して、前記追跡データを受信することとを含む［１］記載の方法。
［６］  前記ネットワーク化デバイスに前記クエリを送る前に、前記ネットワーク化デバイスが、前記ＡＲデバイスに近接していると決定することをさらに含む［５］記載の方法。
［７］  前記追跡データを受信することは、前記ネットワーク化デバイスからブロードキャストメッセージを受信することを含み、
前記ブロードキャストメッセージは、前記追跡データを含む［１］記載の方法。
［８］  前記ローカルネットワークは、ワイヤレスローカルエリアネットワーク（ＷＬＡＮ）を含む［１］記載の方法。
［９］  前記追跡データは、デバイス相互運用フレームワークメッセージを介して受信される［１］記載の方法。
［１０］  前記追跡データは、短距離無線周波数通信媒体を介して受信される［１］記載の方法。
［１１］  前記追跡データは、前記ネットワーク化デバイスに関係付けられている拡張現実特性データセット中に含まれ、前記拡張現実特性データセットは、前記ネットワーク化デバイス中に組み込まれている［１］記載の方法。
［１２］  前記ＡＲデバイスにおいて統合されているカメラを使用して、前記カメラビューを取得することをさらに含む［１］記載の方法。
［１３］  前記ＡＲデバイスにおいて統合されているディスプレイ装置を使用して、前記拡張現実ビューを表示することをさらに含む［１］記載の方法。
［１４］  拡張現実（ＡＲ）デバイスにおいて、
プロセッサと、
命令を記憶しているメモリとを具備し、
前記命令は、前記プロセッサによって実行されるとき、前記ＡＲデバイスに、
ネットワーク化デバイスの１つ以上の追跡可能な特徴を記述する追跡データを受信させ、
前記ＡＲデバイスのカメラビュー中の前記ネットワーク化デバイスの少なくとも１つの追跡可能な特徴を検出することに応答して、前記ネットワーク化デバイスに関係付けて拡張現実ビューを発生させ、
前記追跡データは、ローカルネットワークを介して、前記ネットワーク化デバイスから受信されるＡＲデバイス。
［１５］  前記命令は、前記プロセッサに、前記追跡データに少なくとも部分的に基づいて、前記ＡＲデバイスのカメラビュー中の前記ネットワーク化デバイスの位置をさらに決定させる［１４］記載のＡＲデバイス。
［１６］  前記命令は、前記プロセッサに、前記カメラビューに基づいて、前記拡張現実ビューを発生させるＡＲアプリケーションをさらに実行させ、
前記拡張現実ビューは、前記ネットワーク化デバイスに関係付けられているＡＲ特性により拡張される［１４］記載のＡＲデバイス。
［１７］  前記拡張現実ビューを前記ＡＲデバイスのユーザに表示するディスプレイ装置をさらに具備する［１４］記載のＡＲデバイス。
［１８］  前記ネットワーク化デバイスにクエリを送り、前記ネットワーク化デバイスからの前記追跡データを要求し、前記クエリに応答して、前記追跡データを受信するネットワークインターフェースをさらに具備する［１４］記載のＡＲデバイス。
［１９］  前記ネットワーク化デバイスが前記ＡＲデバイスに近接していることを前記ＡＲデバイスが決定することに応答して、前記ネットワークインターフェースが前記クエリを送る［１８］記載のＡＲデバイス。
［２０］  前記ネットワーク化デバイスからブロードキャストメッセージを受信するネットワークインターフェースをさらに具備し、
前記ブロードキャストメッセージは、前記追跡データを含む［１４］記載のＡＲデバイス。
［２１］  ネットワーク化デバイスによって実行される方法において、
前記ネットワーク化デバイスの１つ以上の追跡可能な特徴を記述する追跡データを記憶することと、
ローカルネットワークを介して、前記追跡データを拡張現実（ＡＲ）デバイスに提供することとを含み、
前記追跡データは、前記ＡＲデバイスによる前記ネットワーク化デバイスのビジュアル検出を可能にする方法。
［２２］  前記追跡データは、少なくとも第１の追跡可能な特徴の１つ以上のビジュアル特性を記述し、
前記１つ以上のビジュアル特性は、サイズ、形、色のうちの少なくとも１つを含む［２１］記載の方法。
［２３］  前記追跡データを要求するクエリを前記ＡＲデバイスから受信することをさらに含み、
前記追跡データを提供することは、前記クエリに応答する［２１］記載の方法。
［２４］  前記ネットワーク化デバイスにおいて記憶されている前記追跡データを前記ネットワーク化デバイスが有しているという表示を前記ＡＲデバイスに提供することをさらに含む［２１］記載の方法。
［２５］  デバイス発見プロトコルにしたがって、前記ローカルネットワークを介して、前記追跡データをブロードキャストすることをさらに含む［２１］記載の方法。
［２６］  前記追跡データは、前記ネットワーク化デバイスにおいて記憶されている拡張現実データセット中に含まれ、前記ＡＲデバイスからの要求に応答して、前記ＡＲデバイスに提供される［２１］記載の方法。
［２７］  前記追跡データは、デバイス相互運用フレームワークメッセージを介して提供される［２１］記載の方法。
［２８］  ネットワーク化デバイスにおいて、
ローカルネットワークを介して通信するネットワークインターフェースと、
プロセッサと、
前記ネットワーク化デバイスの１つ以上の追跡可能な特徴を記述する追跡データを記憶するメモリとを具備し、
前記メモリは、前記プロセッサによって実行されるとき、前記ネットワーク化デバイスに、前記ローカルネットワークを介して、前記追跡データを拡張現実（ＡＲ）デバイスに提供させる命令を記憶し、
前記追跡データは、前記ＡＲデバイスによる前記ネットワーク化デバイスのビジュアル検出を可能にするネットワーク化デバイス。
［２９］  前記命令は、前記プロセッサに、
前記追跡データを要求するクエリを前記ＡＲデバイスから受信させ、
前記クエリに応答して、前記追跡データを提供させる［２８］記載のネットワーク化デバイス。
［３０］  前記命令は、前記プロセッサに、
前記ネットワーク化デバイスにおいて記憶されている前記追跡データを前記ネットワーク化デバイスが有しているという表示を前記ＡＲデバイスに提供させる［２８］記載のネットワーク化デバイス。